(57)【要約】【課題】全ての壁が二重壁によって構成され、突き刺し強度を要する用途に用いることができ、内容物が存在しない状態でも紙の裏面が露出せず、取外し可能な内箱を備えた紙製二重箱。【解決手段】外箱１０、内箱３０、ヒンジカバー４０、蓋２０から成り、外箱は、底板１１を中心として、前側、右側、左側にそれぞれ二重壁を、後側に背板１５を有し、蓋は、天板（外）２１ａを中心として、前側、右側、左側にそれぞれ二重壁を、後側に背板25を有し、内側側板に連設された天板（内）２１ｂを有し、内箱は、底板３１と、前側、右側、左側、後側の二重壁を有し、外箱背板と蓋背板は、折罫線をヒンジとして連結され、ヒンジカバーによって覆われてそれぞれ二重壁を構成しており、内箱に設けられた内箱固定用突起３７が、外箱またはヒンジカバーに設けられた内箱固定用スリットに嵌合することにより、内箱が取り外し可能に固定されていることを特徴とする。【選択図】図１
2014151951.tif 000002
【特許請求の範囲】
【請求項１】
紙製のブランクを罫線に沿って折り畳んでなる二重箱であって、外箱（１０）と、内箱（３０）と、ヒンジカバー（４０）と、外箱（１０）に連結された蓋（２０）とから成り、
外箱（１０）は、外箱底板（１１）を中心として、その前側、右側、左側にそれぞれ罫線を介して連設され、内側に折り込まれた二重壁を有し、後側に外箱背板（１５）を有し、
蓋（２０）は、蓋天板（外）（２１ａ）を中心として、その前側、右側、左側にそれぞれ罫線を介して連設され、内側に折り込まれた二重壁を有し、後側に蓋背板（２５）を有し、左右いずれかの内側側板に連設された蓋天板（内）（２１ｂ）を有し、
内箱（３０）は、内箱底板（３１）と、罫線を介して連設され、上辺の山折罫線によって形成された前側、右側、左側、後側の二重壁を有し、
前記外箱背板（１５）と前記蓋背板（２５）は、折罫線（Ｘ）をヒンジとして連結され、前記ヒンジカバー（４０）によって覆われてそれぞれ二重壁を構成しており、
内箱の底面部分に設けられた内箱固定用突起が、外箱の内側または前記ヒンジカバーに設けられた内箱固定用スリットに嵌合することにより、内箱は取り外し可能に外箱に固定されていることを特徴とする紙製二重箱。
【請求項２】
内箱の前板上部に設けられた蓋固定用突起が、前記蓋（２０）の前板内側に設けられた蓋固定用スリットに嵌合することにより、蓋は閉位置で開閉可能に固定されることを特徴とする請求項１に記載の紙製二重箱。
【請求項３】
蓋の前板内側に設けられた蓋固定用突起が、内箱の前板外側に設けられた蓋固定用スリットに嵌合することにより、蓋は閉位置で開閉可能に固定されることを特徴とする請求項１に記載の紙製二重箱。
【請求項４】
外箱の左右側面板と、蓋の左右側面板の合わせ目が、前面に向かって傾斜していることを特徴とする請求項１〜３のいずれか１項に記載の紙製二重箱。
【請求項５】
外箱の底板の四周の板と、蓋の天板（外）の四周の板は、それぞれ罫線を介してコーナーフラップによって連結され、各コーナーフラップの中心線を折り込んで、コーナーフラップを二重側板の内部に折り込むことにより、箱体を形成したことを特徴とする請求項１〜４のいずれか１項に記載の紙製二重箱。
【請求項６】
外側から見える面がすべて紙の表面側であることを特徴とする請求項１〜５のいずれか１項に記載の紙製二重箱。
【発明の詳細な説明】
【技術分野】
【０００１】
本発明は、内箱と外箱と開閉蓋とを備えた紙箱に関し、特に二重壁を有することにより、耐突き刺し性に優れると共に意匠的にも優れた紙製二重箱に関する。
【背景技術】
【０００２】
従来、紙製ブランクを罫線に沿って折り畳んで成形するさまざまな紙箱が提案されている。特許文献１に記載された折畳紙箱は、１枚のブランクを罫線に沿って折り畳むことにより、下蓋（本体）と、ヒンジにより開閉する上蓋と、上蓋の内面側に折り込む重合底板を有する紙箱である。この折畳紙箱は、本体の底面内面側を除いては、紙の裏面が露出しない構造であり、本体底面内側も、内容物によって隠されるため、紙の裏面がどこからも見えない構造となっている。
【０００３】
特許文献１に記載された折畳紙箱は、内容物を取り出すと紙の裏面が露出するため、そのような場合が想定される用途には用いることができないものである。この点に関しては、特許文献２に記載された包装箱も同様である。
【先行技術文献】
【特許文献】
【０００４】
【特許文献１】実開昭４９−１１４０４５号公報
【特許文献２】実開昭５０−４０６１７号公報
【発明の概要】
【発明が解決しようとする課題】
【０００５】
特許文献１に記載された折畳紙箱も、特許文献２に記載された包装箱も、いずれも側面の壁は二重になっているが、本体底面は二重になっていないため、突き刺し強度の観点からは、用途的に制約される場合がある。
【０００６】
本発明の解決しようとする課題は、全ての壁面が二重壁によって構成されることにより、突き刺し強度を要求されるような用途にも用いることができ、また内容物が存在しない状態でも紙の裏面が露出しない構造とすることが可能であり、さらに取り外し可能な内箱を備えた紙製二重箱を提案するものである。
【課題を解決するための手段】
【０００７】
上記の課題を解決するための手段として、請求項１に記載の発明は、紙製のブランクを罫線に沿って折り畳んでなる二重箱であって、外箱（１０）と、内箱（３０）と、ヒンジカバー（４０）と、外箱（１０）に連結された蓋（２０）とから成り、外箱（１０）は、外箱底板（１１）を中心として、その前側、右側、左側にそれぞれ罫線を介して連設され、内側に折り込まれた二重壁を有し、後側に外箱背板（１５）を有し、蓋（２０）は、蓋天板（外）（２１ａ）を中心として、その前側、右側、左側にそれぞれ罫線を介して連設され、内側に折り込まれた二重壁を有し、後側に蓋背板（２５）を有し、左右いずれかの内側側板に連設された蓋天板（内）（２１ｂ）を有し、内箱（３０）は、内箱底板（３１）と、罫線を介して連設され、上辺の山折罫線によって形成された前側、右側、左側、後側の二重壁を有し、前記外箱背板（１５）と前記蓋背板（２５）は、折罫線（Ｘ）をヒンジとして連結され、前記ヒンジカバー（４０）によって覆われてそれぞれ二重壁を構成しており、内箱の底面部分に設けられた内箱固定用突起が、外箱の内側または前記ヒンジカバーに設けられた内箱固定用スリットに嵌合することにより、内箱は取り外し可能に外箱に固定されていることを特徴とする紙製二重箱である。
【０００８】
本発明に係る紙製二重箱は、収納物が接するすべての壁面が２枚以上の紙によって構成されているため、突き刺し耐性を要するような内容物を収納することが可能である。また外箱から着脱可能な内箱を有するため、利便性が高い。
【０００９】
また、請求項２に記載の発明は、内箱の前板上部に設けられた蓋固定用突起が、前記蓋（２０）の前板内側に設けられた蓋固定用スリットに嵌合することにより、蓋は閉位置で開閉可能に固定されることを特徴とする請求項１に記載の紙製二重箱である。
【００１０】
また、請求項３に記載の発明は、蓋の前板内側に設けられた蓋固定用突起が、内箱の前板外側に設けられた蓋固定用スリットに嵌合することにより、蓋は閉位置で開閉可能に固定されることを特徴とする請求項１に記載の紙製二重箱である。
【００１１】
また、請求項４に記載の発明は、外箱の左右側面板と、蓋の左右側面板の合わせ目が、前面に向かって傾斜していることを特徴とする請求項１〜３のいずれか１項に記載の紙製二重箱である。
【００１２】
また、請求項５に記載の発明は、外箱の底板の四周の板と、蓋の天板（外）の四周の板が、それぞれ罫線を介してコーナーフラップによって連結され、各コーナーフラップの中心線を折り込んで、コーナーフラップを二重側板の内部に折り込むことにより、箱体を形成したことを特徴とする請求項１〜４のいずれか１項に記載の紙製二重箱である。
【００１３】
また、請求項６に記載の発明は、外側から見える面がすべて紙の表面側であることを特徴とする請求項１〜５のいずれか１項に記載の紙製二重箱である。
【発明の効果】
【００１４】
本発明に係る紙製二重箱は、収納物が接するすべての壁面が２枚以上の紙によって構成されているため、突き刺し耐性を要するような内容物、例えば画鋲や針、ピアスなどを収納する容器として好適に使用できる。
【００１５】
また外箱から着脱可能な内箱を有するため、内容物を収納したまま内箱を取り外すことが出来、利便性が高い。また、外箱と内箱の材質や表面仕上げ等が異なる場合で、廃棄に当って、外箱と内箱を分別しなければならないような場合にも、極めて容易に分別することが出来る。
【００１６】
請求項２に記載の発明において、内箱の前板上部に設けられた蓋固定用突起が、蓋（２０）の前板内側に設けられた蓋固定用スリットに嵌合することにより、蓋が閉位置で開閉可能に固定されるようにした場合、ヒンジ部の弾力性により蓋が半開きの状態になることがなく、閉位置で確実に固定される。また蓋固定用突起が蓋固定用スリットに嵌合する時に、クリック感を生じるので、箱の高級感が高まる。
【００１７】
請求項３に記載の発明のように、蓋の前板内側に設けられた蓋固定用突起が、内箱の前板外側に設けられた蓋固定用スリットに嵌合することにより、蓋が閉位置で開閉可能に固定されるようにした場合も、前記同様の効果に加えて、内箱の正面に突起がないため、デザイン上、また使い勝手の面においても優れている。
【００１８】
請求項４に記載の発明のように、外箱の左右側面板と、蓋の左右側面板の合わせ目が、前面に向かって傾斜している場合においては、箱の高級感が高まる効果を有する。
【００１９】
請求項５に記載の発明のように、外箱の底板の四周の板と、蓋の天板（外）の四周の板
が、それぞれ罫線を介してコーナーフラップによって連設され、各コーナーフラップの中心線を折り込んで、コーナーフラップを二重側板の内部に折り込むことにより、箱体を形成した場合、糊付け箇所を最小限に留めることができ、殆どの部分を折込みのみによって箱体を形成することができる。
【００２０】
請求項６に記載の発明のように、外側から見える面がすべて紙の表面側であるようにした場合、仕上げ状態の良い紙の表面側のみが見えるように箱を構成することができるので、箱の高級感を高める上で効果的である。
【図面の簡単な説明】
【００２１】
【図１】図１は、本発明に係る紙製二重箱の一実施態様を示した斜視図である。
【図２】図２は、図１の状態から、内箱を取り除いた状態を示した斜視図である。
【図３】図３は、図１の内箱のみを示した斜視図である。
【図４】図４は、本発明に係る紙製二重箱の他の実施態様における内箱を示した斜視図である。
【図５】図５は、図１に示した紙製二重箱の外箱と蓋のブランクを紙の裏面から見た状態を示した平面模式図である。
【図６】図６は、図１に示した紙製二重箱のヒンジカバーのブランクを示した平面模式図である。
【図７】図７は、図１に示した紙製二重箱の内箱のブランクを示した平面模式図である。
【発明を実施するための形態】
【００２２】
以下、図面を参照しながら、本発明に係る紙製二重箱について詳細に説明する。
図１は、本発明に係る紙製二重箱の一実施態様を示した斜視図である。また、図２は、図１の状態から、内箱（３０）を取り除いた状態を示した斜視図である。また、図３は、内箱（３０）のみを示した斜視図である。図５、６、７は、外箱・蓋ブランク、ヒンジカバーブランク、内箱ブランクをそれぞれ示す平面模式図である。以下これらの図を参照しながら説明する。
【００２３】
本発明に係る紙製二重箱（１）は、紙製のブランクを罫線に沿って折り畳んでなる二重箱であって、外箱（１０）と、内箱（３０）と、ヒンジカバー（４０）と、外箱（１０）に連結された蓋（２０）とから成る。
【００２４】
図５に示した外箱・蓋ブランク（１０２０Ｂ）を参照しながら説明する。本図は、説明の便宜上、紙の裏面側から見た状態を示している。また罫線は、一点鎖線が紙面から見て９０°谷折罫線を、また破線が同じく１８０°谷折罫線を、また長破線が１８０°山折罫線を、点線が９０°山折罫線をそれぞれ示している。
【００２５】
外箱（１０）は、外箱底板（１１）を中心として、その前側（図５では下）に、罫線ａを介して外箱前板（外）（１４ａ）が連設され、さらに罫線Ａを介して外箱前板（内）（１４ｂ）が、さらに罫線Ｎを介してフラップ（１８ｃ）が連設されている。なお外箱前板（内）（１４ｂ）には、側板と連結するためのフラップ（１８ｂ）、（１８ｄ）が連設されている。また、外箱前板（内）（１４ｂ）とフラップ（１８ｃ）の間には、内箱固定用スリット（前）（１９）が設けられている。
【００２６】
外箱底板（１１）の右側には、罫線ｂを介して外箱右側板（外）（１２ａ）が、さらに罫線Ｂを介して外箱右側板（内）（１２ｂ）、さらに罫線Ｏを介してフラップ（１８ａ）がそれぞれ連設されている。
【００２７】
外箱底板（１１）の左側には、罫線ｄを介して外箱左側板（外）（１３ａ）が、さらに罫線Ｃを介して外箱左側板（内）（１３ｂ）、さらに罫線Ｙを介してフラップ（１８ｅ）がそれぞれ連設されている。
【００２８】
このように、外箱（１０）は、外箱底板（１１）を中心として、その前側、右側、左側にそれぞれ罫線を介して連設され、内側に折り込まれた二重壁を有している。
【００２９】
外箱底板（１１）の後側には、罫線ｃを介して外箱背板（１５）が連設されている。
【００３０】
次に蓋（２０）について説明する。蓋（２０）は、蓋天板（外）（２１ａ）を中心として、前側（図５では上）に罫線ｇを介して蓋前板（外）（２４ａ）が連設され、さらに罫線Ｅを介して蓋前板（内）（２４ｂ）が、さらに罫線Ｒを介してフラップ（２８ｂ）が連設されている。蓋前板（内）（２４ｂ）には、左右側板と連結するためのフラップ（２８ａ）、（２８ｃ）が罫線Ｑを介して連設されている。またこの例では、蓋前板（内）（２４ｂ）に蓋固定用スリット（２９ｂ）が、また蓋前板（内）（２４ｂ）とフラップ（２８ｂ）の間に蓋天板（内）（２１ｂ）を固定するための蓋天板（内）固定用スリット（２９ａ）が設けられている。
【００３１】
蓋天板（外）（２１ａ）の右側には、罫線ｆを介して蓋右側板（外）（２２ａ）が、さらに罫線Ｄを介して蓋右側板（内）（２２ｂ）が、さらにこの例では、罫線Ｍを介して蓋天板（内）（２１ｂ）がそれぞれ連設されている。
【００３２】
蓋天板（外）（２１ａ）の左側には、罫線ｈを介して蓋左側板（外）（２３ａ）が、さらに罫線Ｆを介して蓋左側板（内）（２３ｂ）が、さらに罫線Ｐを介してフラップ（２８ｄ）がそれぞれ連設されている。
【００３３】
蓋天板（内）（２１ｂ）は、この例では、蓋右側板（内）（２２ｂ）に連設されているが、蓋左側板（内）（２３ｂ）に連設されていても良い。蓋天板（内）（２１ｂ）には、上下の辺の中央部に固定用の突起が設けられている。この突起は、蓋天板（内）固定用スリット（２９ａ）と後に述べるヒンジカバー（４０）の蓋天板（内）固定用スリット（４４ａ）に嵌合して固定される。
【００３４】
蓋天板（外）（２１ａ）の後側（図５では下）には、蓋背板（２５）が罫線ｅを介して連設されている。
【００３５】
このように、蓋（２０）は、蓋天板（外）（２１ａ）を中心として、その前側、右側、左側にそれぞれ罫線を介して連設され、内側に折り込まれた二重壁を有している。また天板も二重になっている。
【００３６】
前記外箱背板（１５）と蓋背板（２５）とは、罫線（Ｘ）を介して接続されている。
【００３７】
この実施態様においては、外箱（１０）の底板（１１）の四周の板（１２ａ）、（１３ａ）、（１４ａ）、（１５）は、それぞれ罫線を介してコーナーフラップ（１６ａ）、（１６ｂ）、（１７ａ）、（１７ｂ）によって連結されている。
【００３８】
また、蓋（２０）の天板（外）（２１ａ）の四周の板（２２ａ）、（２３ａ）、（２４ａ）、（２５）も、同様にそれぞれ罫線を介してコーナーフラップ（２６ａ）、（２６ｂ）、（２７ａ）、（２７ｂ）によって連結されている。
【００３９】
このように外箱の底板の四周の板と、蓋の天板（外）の四周の板が、それぞれ罫線を介してコーナーフラップによって連結されていると、各コーナーフラップの中心線を折り込んで、コーナーフラップを二重側板の内部に折り込むことにより、箱体を形成することができる。
【００４０】
このようにすることにより、箱の組み立てに当って、糊付けを最小限に留め、大半を折込のみによって組み立てることができる。
【００４１】
各コーナーフラップは、それぞれ通常のフラップのように、いずれか片側の片に連設するようにしても勿論良い。但しその場合には、糊付けが必要となる場合がある。なお、この例では、折り込んだコーナーフラップをさらに糊付けしても勿論良い。
【００４２】
図６は、ヒンジカバーブランク（４０Ｂ）を示した平面模式図である。
ヒンジカバー（４０）は、外箱（１０）と蓋（２０）を接続するヒンジ部に当接するカバーである。ヒンジカバー（４０）によって、紙の裏面が露出する外箱背板（１５）と蓋背板（２５）が覆い隠されるため、紙の裏面が見えなくなる。
【００４３】
ヒンジカバー（４０）は、外箱背板（１５）を覆う外箱背板（内）（４１）と、蓋背板（２５）を覆う蓋背板（内）（４２）とが、罫線Ｗを介して連設されている。罫線Ｗも蓋（２０）の開閉時にはヒンジとして機能する。
【００４４】
外箱背板（内）（４１）には、フラップ（４３ａ）、（４３ｂ）、（４３ｃ）が、罫線ｓ、ｒを介して連設されており、蓋背板（内）（４２）には、フラップ（４３ｄ）、（４３ｅ）、（４３ｆ）が、罫線ｔ、ｕを介して連設されている。
【００４５】
外箱背板（内）（４１）とフラップ（４３ｂ）の間には内箱固定用スリット（後）（４４ｂ）が設けられている。また蓋背板（内）（４２）とフラップ（４３ｅ）の間には蓋天板（内）固定用スリット（４４ａ）が設けられている。
【００４６】
ヒンジカバー（４０）は、フラップ（４３ａ）、（４３ｃ）、（４３ｄ）、（４３ｆ）をそれぞれ二重側板の間に折り込むことによって固定されている。
【００４７】
次に内箱（３０）について説明する。
内箱（３０）は、内箱底板（３１）と、罫線を介して連設され、上辺の山折罫線Ｉ、Ｊ、Ｋ、Ｌによって形成された前側、右側、左側、後側の二重壁を有する。
【００４８】
図７は、内箱ブランク（３０Ｂ）を示した平面模式図である。図７に示したように、内箱底板（３１）から罫線ｎを介して内箱前板（内）（３２ａ）が連設され、さらに罫線Ｉを介して内箱前板（外）（３２ｂ）が連設されている。
【００４９】
内箱前板（外）（３２ｂ）には、罫線Ｓを介して内箱右側板（外）（３３ｂ）が、また罫線Ｔ、Ｕ、Ｖを介して、内箱左側板（外）（３４ｂ）、内箱背板（外）（３５ｂ）、フラップ（３６ｄ）が順次連設されている。
【００５０】
内箱右側板（外）（３３ｂ）には、罫線Ｊ、ｏを介して内箱右側板（内）（３３ａ）、フラップ（３６ａ）が順次連設されている。また内箱左側板（外）（３４ｂ）には、同様
に罫線Ｋ、ｐを介して内箱左側板（内）（３４ａ）、フラップ（３６ｂ）が、内箱背板（外）（３５ｂ）には、罫線Ｌ、ｑを介して内箱背板（内）（３５ａ）、フラップ（３６ｃ）がそれぞれ順次連設されている。
【００５１】
内箱前板（内）（３２ａ）に設けられた切込によって内箱底板（３１）から延出した内箱固定用突起（３７ａ）が形成され、同様に内箱背板（内）（３５ａ）に設けられた切込によってフラップ（３６ｃ）から延出した内箱固定用突起（３７ｂ）が形成されている。
【００５２】
内箱固定用突起（３７ａ）、（３７ｂ）は、それぞれ外箱（１０）およびヒンジカバー（４０）に設けられた内箱固定用スリット（前）（１９）、内箱固定用スリット（後）（４４ｂ）に嵌合することにより、内箱（３０）を外箱（１０）に固定する働きをする。この両者による嵌合は、少し力を加えて引くことにより、比較的容易に解離するので、内箱（３０）は、取り外し可能に外箱（１０）に固定されていることになる。
【００５３】
蓋固定用突起（３８）は、内箱前板（外）（３２ｂ）に設けられた切込によって形成され、内箱（３０）の前面に突出して、蓋（２０）の蓋前板（内）（２４ｂ）に設けられた蓋固定用スリット（２９ｂ）と嵌合して、蓋（２０）を閉位置で固定する働きをする。
【００５４】
内箱固定用突起用切欠き（３９ａ）、（３９ｂ）は、内箱を組み立てた時点で、それぞれ内箱固定用突起（３７ａ）、（３７ｂ）が有効に働くようにするために設けられている。
【００５５】
以上説明した罫線の中で、コーナーフラップの中心線となる罫線Ｇ（４箇所）、Ｈ（４箇所）と、フラップの付け根に当たる罫線である罫線ｎ、ｏ、ｐ、ｑ、Ｎ、Ｏ、Ｐ、Ｒ、Ｙと、蓋天板（内）（２１ｂ）の付け根の罫線Ｍ、さらにヒンジ部を形成する罫線Ｘは、それぞれ折り曲げ易くするために切込線を含むリード罫線かまたは切込線のみから構成される罫線とするのが望ましい。
【００５６】
図４は、本発明に係る紙製二重箱の他の実施態様における内箱（３０）を示した斜視図である。図４に示した実施態様においては、蓋（２０）の前板内側に設けられた蓋固定用突起（図示せず）が、内箱（３０）の内箱前板（外）（３２ｂ）に設けられた蓋固定用スリット（２９ｂ）に嵌合することにより、蓋（２０）が閉位置で開閉可能に固定されるようにしたことを特徴とする。
【００５７】
このようにすることにより、蓋（２０）を開いた時に、内箱（３０）の前面に突起が存在しないため、すっきりしたデザインになる他、突起が引っ掛かったりしないので、使い勝手が良い。なお蓋固定用スリット（２９ｂ）に嵌合する蓋固定用突起は、蓋（２０）の前板内側に設けられるので、外部からは直接目に入り難い位置にある。
【００５８】
図４に示された実施態様においては、上記の他、内箱固定用突起（３７ａ）、（３７ｂ）（図示せず）が側面にある。このように、内箱固定用突起は、内箱の側面に配置しても良く、さらに各面にそれぞれ２箇所ずつ配置しても良い。また前後左右に４箇所配置しても良い。なお各内箱固定用突起に対応する内箱固定用スリットは、外箱あるいはヒンジカバーのそれぞれ対応する位置に設けることは、言うまでもない。
【００５９】
内箱（３０）は、必ずしも図１、３、４、７に示したような直方体形状である必要はなく、例えば、図１、２に示した外箱（１０）のように、前面の板が低くて、左右両側面板が傾斜した形状であってもよい。
【００６０】
本発明に係る紙製二重箱に用いる紙としては、通常紙箱に用いられる板紙を用いること
ができる。本発明に係る紙製二重箱においては、各ブランクの表裏面を考慮することにより、外側から見える面がすべて紙の表面側であるように構成することができるので、化粧面を片側にしか設けられないような板紙を用いて、意匠効果の高い紙箱を実現することができる。
【００６１】
従って、高価な両面コート紙を用いずに、片面コートの安価な板紙を用いて、高級感の高い化粧紙箱を実現することができる。
【符号の説明】
【００６２】
１・・・二重箱
１０・・・外箱
１０２０Ｂ・・・外箱・蓋ブランク
１１・・・外箱底板
１２ａ・・・外箱右側板（外）
１２ｂ・・・外箱右側板（内）
１３ａ・・・外箱左側板（外）
１３ｂ・・・外箱左側板（内）
１４ａ・・・外箱前板（外）
１４ｂ・・・外箱前板（内）
１５・・・外箱背板
１６ａ・・・コーナーフラップ右前
１６ｂ・・・コーナーフラップ右後
１７ａ・・・コーナーフラップ左前
１７ｂ・・・コーナーフラップ左後
１８ａ〜１８ｅ・・・フラップ
１９・・・内箱固定用スリット（前）
２０・・・蓋
２１ａ・・・蓋天板（外）
２１ｂ・・・蓋天板（内）
２２ａ・・・蓋右側板（外）
２２ｂ・・・蓋右側板（内）
２３ａ・・・蓋左側板（外）
２３ｂ・・・蓋左側板（内）
２４ａ・・・蓋前板（外）
２４ｂ・・・蓋前板（内）
２５・・・蓋背板
２６ａ・・・コーナーフラップ右前
２６ｂ・・・コーナーフラップ右後
２７ａ・・・コーナーフラップ左前
２７ｂ・・・コーナーフラップ左後
２８ａ〜２８ｄ・・・フラップ
２９ａ・・・蓋天板（内）固定用スリット
２９ｂ・・・蓋固定用スリット
３０・・・内箱
３０Ｂ・・・内箱ブランク
３１・・・内箱底板
３２ａ・・・内箱前板（内）
３２ｂ・・・内箱前板（外）
３３ａ・・・内箱右側板（内）
３３ｂ・・・内箱右側板（外）
３４ａ・・・内箱左側板（内）
３４ｂ・・・内箱左側板（外）
３５ａ・・・内箱背板（内）
３５ｂ・・・内箱背板（外）
３６ａ〜３６ｄ・・・フラップ
３７ａ、３７ｂ・・・内箱固定用突起
３８・・・蓋固定用突起
３９ａ、３９ｂ・・・内箱固定用突起用切欠き
４０・・・ヒンジカバー
４０Ｂ・・・ヒンジカバーブランク
４１・・・外箱背板（内）
４２・・・蓋背板（内）
４３ａ〜４３ｆ・・・フラップ
４４ａ・・・蓋天板（内）固定用スリット
４４ｂ・・・内箱固定用スリット（後）
ａ〜ｕ・・・９０°谷折罫線
Ａ〜Ｆ・・・１８０°谷折罫線
Ｇ〜Ｌ・・・１８０°山折罫線
Ｍ〜Ｙ・・・９０°山折罫線
【図７】
2014151951.tif 000003
【図１】
2014151951.tif 000004
【図２】
2014151951.tif 000005
【図３】
2014151951.tif 000006
【図４】
2014151951.tif 000007
【図５】
2014151951.tif 000008
【図６】
2014151951.tif 000009